(57)【要約】【課題】  待ち受け状態や通話状態からテレビ電話状態に移行する際の操作性の向上を図る。【解決手段】  通信回路を有する本体１１と、この本体１１の主面を覆う初期位置から本体１１に対してａ方向にスライドさせた第１の位置と、初期位置から本体１１に対してａ方向の逆方向であるｂ方向にスライドさせた第２の位置とにスライド可能に設けられたスライド体１２と、本体１１の主面に設けられ初期位置でスライド体１２によって覆われるレンズを有するカメラ部１４とを備える。そして、スライド体１２を第１の位置にスライドさせたときに通信回路を介して通話可能な第１形態にされ、スライド体１２を第２の位置にスライドさせたときにカメラ部１４のレンズが外方に露出されて作動された第２形態にされる。【選択図】  図６
2006157410.tif 000002
【特許請求の範囲】
【請求項１】
通信手段を有する本体と、
前記本体の主面を覆う初期位置から前記本体に対して第１の方向にスライドさせた第１の位置と、前記初期位置から前記本体に対して前記第１の方向の逆方向である第２の方向にスライドさせた第２の位置とにスライド可能に設けられたスライド体と、
前記本体の主面に設けられ、前記初期位置で前記スライド体によって覆われるレンズを有するカメラ部とを備え、
前記スライド体を前記第１の位置にスライドさせたときに前記通信手段を介して通話可能な第１形態にされ、前記スライド体を前記第２の位置にスライドさせたときに前記カメラ部の前記レンズが外方に露出されて作動された第２形態にされる通信端末。
【請求項２】
通信手段を有する本体と、
前記本体の主面を覆う初期位置から前記本体に対して第１の方向にスライドさせた第１の位置と、前記初期位置から前記本体に対して前記第１の方向の逆方向である第２の方向にスライドさせた第２の位置とにスライド可能に設けられたスライド体と、
前記本体の主面に設けられ、前記スライド体によって覆われるレンズを有するカメラ部と、
前記スライド体に設けられた他のレンズとを備え、
前記スライド体を前記第１の位置にスライドさせたときに前記通信手段を介して通話可能な第１形態にされ、前記スライド体を前記第２の位置にスライドさせたときに前記カメラ部の前記レンズと前記他のレンズとが光軸を一致させて前記カメラ部が作動された第２形態にされる通信端末。
【請求項３】
前記スライド体には、前記本体に対する前記スライド体の位置に応じて、前記カメラ部の前記レンズに光軸が一致される複数の前記他のレンズが設けられている請求項２に記載の通信端末。
【請求項４】
前記スライド体には、情報を表示する表示部が設けられ、
前記第２形態で、通話可能にされると共に、前記カメラ部による映像を相手側に送信し前記表示部に相手側の映像の表示が可能な第２形態にされる請求項１ないし３のいずれか１項に記載の通信端末。
【請求項５】
前記スライド体は、前記第２の方向にスライドさせた複数の位置で固定可能にされている請求項１ないし４のいずれか１項に記載の通信端末。
【請求項６】
前記本体に対して前記スライド体が前記第２の位置に移動されたことを検出する検出手段を備え、
前記検出手段による検出信号に基づいて、前記第２形態に制御される請求項１ないし５のいずれか１項に記載の通信端末。
【請求項７】
通信手段を有する本体の主面に設けられたレンズを有するカメラ部を覆うスライド体が、前記本体に対して第１の方向にスライドされたときに、前記通信手段を介して通話可能な第１形態とし、前記本体に対して前記第１の方向の逆方向である第２の方向にスライドされたときに、通話可能にされると共に前記カメラ部による映像を相手側に送信し前記スライド体に設けられた表示部に相手側の映像を表示可能な第２形態に切り替えるように制御する通話形態の制御方法。
【発明の詳細な説明】
【技術分野】
【０００１】
本発明は、例えば携帯電話機やＰＤＡ（Personal Data Assistant）等の通信端末および通信状態の制御方法に関する。
【背景技術】
【０００２】
従来、通信端末としては、通信用回路部を有する本体と、この本体の主面を覆う初期位置から主面の一部を外方に露出させる露出位置にスライド可能に設けられたスライド体とを備えるスライド型の携帯電話機が知られている。そして、この種の通信端末としては、スライド体側にカメラ部を備えるものが普及している。
【０００３】
図１０（ａ），（ｂ）に示すように、従来のスライド型の通信端末１０１は、通信回路（不図示）を有する本体１１１と、この本体１１１に対して図１０中矢印ａ方向にスライド可能に設けられたスライド体１１２とを有している。
【０００４】
本体１１１の主面上には、図示しないが、各種操作を行うための操作部（不図示）が設けられている。スライド体１１２には、外方に露出された主面に、撮像するためのカメラ部１１４が設けられている。また、スライド体１１２には、外方に露出された主面上に、各種情報を表示する表示部１１５が設けられている。
【０００５】
以上のように構成された従来の通信端末では、通話を行う際、スライド体１１２を本体１１１に対してａ方向にスライド操作することで、本体１１１側の操作部を外方に露出させて、操作部の操作キーを操作することで通話が行われる。
【０００６】
また、上述したスライド型の通信端末としては、本体側にカメラ部が設けられ、本体がスライド体で覆われた状態で、スライド体によってカメラ部が覆われる構成が開示されている（特許文献１参照。）。
【特許文献１】特開２０００−７８２５４号公報（図２）
【発明の開示】
【発明が解決しようとする課題】
【０００７】
ところで、従来の通信端末には、音声のみの通話を行うことに加えて、音声および映像を送受信するいわゆるテレビ電話を行うことが可能なものが普及してきている。
【０００８】
そして、上述した従来のスライド型の通信端末では、いわゆる待ち受け状態や音声での通話状態から、通話者双方の映像と音声を相互に送受信するいわゆるテレビ電話機能を作動させる際に、所定のキー操作を行う必要があり、この種の操作が煩わしく、テレビ電話状態を迅速に作動させることが困難であった。
【０００９】
そこで、本発明は、待ち受け状態や通話状態からテレビ電話状態に移行する際の操作性の向上を図ることができる通信端末および通話形態の制御方法を提供することを目的とする。
【課題を解決するための手段】
【００１０】
上述した目的を達成するため、本発明に係る通信端末は、通信手段を有する本体と、この本体の主面を覆う初期位置から本体に対して第１の方向にスライドさせた第１の位置と、初期位置から本体に対して第１の方向の逆方向である第２の方向にスライドさせた第２の位置とにスライド可能に設けられたスライド体と、本体の主面に設けられ初期位置でスライド体によって覆われるレンズを有するカメラ部とを備える。そして、本発明に係る通信端末は、スライド体を第１の位置にスライドさせたときに通信手段を介して通話可能な第１形態にされ、スライド体を第２の位置にスライドさせたときにカメラ部のレンズが外方に露出されて作動された第２形態にされる。
【００１１】
以上のように構成した本発明に係る通信端末によれば、本体に対してスライド体を第１の方向と第２の方向とに選択的にスライドさせることで、通話可能な第１形態と、カメラ部を作動させた第２形態とに切り替えられる。
【００１２】
また、本発明に係る他の通信端末は、通信手段を有する本体と、この本体の主面を覆う初期位置から本体に対して第１の方向にスライドさせた第１の位置と、初期位置から本体に対して第１の方向の逆方向である第２の方向にスライドさせた第２の位置とにスライド可能に設けられたスライド体と、本体の主面に設けられスライド体によって覆われるレンズを有するカメラ部と、スライド体に設けられた他のレンズとを備える。そして、本発明に係る通信端末は、スライド体を第１の位置にスライドさせたときに通信手段を介して通話可能な第１形態にされ、スライド体を第２の位置にスライドさせたときにカメラ部のレンズと他のレンズとが光軸を一致させてカメラ部が作動された第２形態にされる。
【００１３】
以上のように構成した本発明に係る通信端末によれば、本体に対してスライド体を第１の方向と第２の方向とに選択的にスライドさせることで、通話可能な第１形態と、本体側のカメラ部のレンズの光軸にスライド体側の他のレンズの光軸を一致させてカメラ部を作動させた第２形態とに切り替えられる。
【００１４】
また、本発明に係る他の通信端末が備えるスライド体には、本体に対するスライド体の位置に応じて、カメラ部のレンズに光軸が一致される複数の他のレンズが設けられてもよい。これによって、本体に対してスライド体をスライドさせることで、カメラ部のレンズの光軸に、スライド体に設けられた複数の他のレンズから選択された任意のレンズの光軸を一致させることが可能になる。
【００１５】
また、本発明に係る他の通信端末は、スライド体に、情報を表示する表示部が設けられ、第２形態で、通話可能にされると共に、カメラ部による映像を相手側に送信し表示部に相手側の映像の表示が可能な第２形態にされてもよい。これによって、本体に対してスライド体をスライドさせることで、本体がスライド体によって覆われた初期位置または第１形態から、音声と映像を送受信するいわゆるテレビ電話が可能な第２形態に移行することが可能になる。
【００１６】
また、本発明に係る通話形態の制御方法は、通信手段を有する本体の主面に設けられたレンズを有するカメラ部を覆うスライド体が、本体に対して第１の方向にスライドされたときに、通信手段を介して通話可能な第１形態とし、本体に対して第１の方向の逆方向である第２の方向にスライドされたときに、通話可能にされると共にカメラ部による映像を相手側に送信しスライド体に設けられた表示部に相手側の映像を表示可能な第２形態に切り替えるように制御する。
【００１７】
上述した本発明に係る通話形態の制御方法によれば、本体に対してスライド体がスライドされる方向に応じて、第１形態と第２形態とに制御される。
【発明の効果】
【００１８】
上述したように本発明によれば、本体に対してスライド体がスライドされる方向に応じて、スライド体の初期位置から、通話可能な第１形態と、カメラ部を作動させた第２形態とに容易かつ迅速に切り替えることができる。
【発明を実施するための最良の形態】
【００１９】
以下、本発明の具体的な実施形態について、図面を参照して説明する。
【００２０】
本発明に係る通信端末として、いわゆる携帯型電話機を一例として以下説明する。
【００２１】
（第１の実施形態）
図１（ａ），（ｂ）に示すように、通信端末１は、通信回路（不図示）を有する本体１１と、この本体１１の主面を覆う初期位置から本体１１に対して図１中矢印ａ方向にスライドさせた第１の位置と、初期位置から本体１１に対してａ方向の逆方向である図１中矢印ｂ方向にスライドさせた第２の位置とに直線的にスライド可能に設けられたスライド体１２とを備えている。
【００２２】
本体１１は、図１に示すように、スライド体１２によって主面のほぼ全域が覆われる。本体１１内には、図示しないが、通信回路や制御回路が実装された回路基板が設けられている。この本体１１には、スライド体１２によって覆われる主面に、通話や情報通信等を行う際に各種操作を行うための操作部１３が設けられている。また、本体１１の主面には、スライド体１２によって覆われるレンズを有するカメラ部１４が設けられている。
【００２３】
また、本体１１には、図示しないが、本体１１を口元および耳元から離して使用する後述のテレビ電話を行う際に、音声を検知するマイクロホンおよび相手側の音声を出力するスピーカが設けられている。
【００２４】
スライド体１２は、本体１１に対してａ，ｂ方向に直線的にスライド可能に設けられており、初期位置で、本体１１の主面を覆うように位置されている。このスライド体１２は、図２（ａ），（ｂ）に示すように、ａ方向にスライドされた位置で、本体１１の主面の一端側の一部を露出させ、図３（ａ），（ｂ）に示すように、ｂ方向にスライドされた位置で、本体１１の主面の他端側の一部を露出させる。
【００２５】
また、スライド体１２は、外方に臨む面に、各種情報を表示する表示部１５が設けられている。この表示部１５は、液晶表示パネルを有しており、本体１１側の制御回路に電気的に接続されている。
【００２６】
以上のように構成された通信端末１について、音声のみで通話する際の動作、および音声と映像を送受信するテレビ電話を行う際の動作をそれぞれ説明する。
【００２７】
まず、通信端末１は、スライド体１２が初期位置であるいわゆる待ち受け状態で、スライド体１２によって本体１１の主面のほぼ全域が覆われており、スライド体１２によってカメラ部１４のレンズが覆われて保護されている。
【００２８】
この待ち受け状態から、音声による通話を行うと共にカメラ部１４によって撮影された映像を送信し相手側の映像を表示部１５に表示する、いわゆるテレビ電話として使用する場合には、スライド体１２を本体１１に対してｂ方向にスライド操作することで、本体１１のカメラ部１４のレンズが外方に露出され、制御回路によって、テレビ電話が可能な第２形態に切り替えられるように制御される。
【００２９】
スライド体１２が本体１１に対してスライドされてカメラ部１４が外方に露出されたとき、カメラ部１４が外方に露出されたことが検出されて、制御回路を介して、通信端末１がテレビ電話を行う状態に自動的に切り替えられる。
【００３０】
この構成の場合、図４（ａ），（ｂ）に示すように、本体１１の主面上には、カメラ部１４のレンズを外方に露出させたスライド位置に移動されたときに、スライド体１２側に設けられた検出片（不図示）の位置を検出する位置に、スライド位置検出素子１７が配置され、このスライド位置検出素子１７による検出信号に基づいて、制御回路によって制御され、テレビ電話が可能な状態に自動的に切り替えられる。
【００３１】
スライド位置検出素子１７としては、例えば、機械的スイッチ、磁気的、光学的スイッチや静電容量検出スイッチ等が用いられる。あるいは、カメラ部１４は、スライド体１２が本体１１に対してスライドされて、受光素子（不図示）が受光する光の強度が、所定の強度以上になったときに、カメラ部１４のレンズが外方に露出されたことを間接的に検出するように構成されてもよい。
【００３２】
この第２形態では、表示部１５に表示される相手側の映像を目視可能な位置に通信端末１が保持され、あるいは配置されて、本体１１のマイクロホンによって使用者の音声が送られ、本体１１のスピーカから相手側の音声が出力されると共に、カメラ部１４によって撮影された映像が送信され、表示部１５に相手側の映像が表示されるように制御される。
【００３３】
また、音声のみによる通話を行う場合、図６（ａ）に示すように、本体１１に対してスライド体１２をａ方向にスライド操作することで、本体１１の主面の操作部１３が外方に露出され、操作部１３を操作して通話可能な第１形態にされる。この第１形態で、操作部１３の操作ボタンを操作することによって、表示部１５に各種情報が表示されると共に通話が行われる。
【００３４】
この第１形態から引き続いて、上述した第２形態であるテレビ電話として使用する場合には、図６（ｂ）に示すように、スライド体１２を本体１１に対してｂ方向にスライド操作して、本体１１のカメラ部１４のレンズを外方に露出させる。これによって、制御回路によって、テレビ電話が可能な第２形態に切り替えられるように制御される。
【００３５】
そして、通信端末１は、第１形態で通話を行っている状態で、スライド体１２を本体１１に対してｂ方向にスライドさせる操作だけで、音声のみの通話状態である第１形態から、音声と映像を送受信するテレビ電話状態である第２形態に、通話状態が継続されながら容易に切り替えられる。
【００３６】
上述したように、通信端末１によれば、スライド体１２が本体１１に対してａ，ｂ方向にスライド可能に設けられたことによって、本体１１に対するスライド体１２の移動方向に応じて、通話可能な第１形態と、カメラ部１４が作動されてテレビ電話可能な第２形態とに容易に切り替えることが可能になる。つまり、この通信端末１によれば、待ち受け状態や音声のみでの通話状態からテレビ電話状態に移行する操作が容易になり、テレビ電話状態を容易かつ迅速に作動させることが可能になるので、操作性の向上を実現できる。
【００３７】
また、この通信端末１によれば、カメラ部１４を使用しないときに、スライド体１２によってカメラ部１４のレンズが覆われて保護されるので、カメラ部１４のレンズが擦り傷等で損傷することや汚れが付着することを防止することができる。
【００３８】
また、この通信端末１によれば、本体１１側にカメラ部１４が配置されることで、スライド体１２をスライドさせる方向の長さを比較的小さくすることができるので、スライド体１２の小型化が可能になり、通信端末１全体の小型化を図ることができる。また、この通信端末１によれば、本体１１側にカメラ部１４が配置されることで、スライド体側にカメラ部が設けられる構成に比較して、カメラ部１４と制御回路との電気的な接続配線が簡素化されるので、製造コストの低減を図ることができる。
【００３９】
（第２の実施形態）
上述した第１の実施形態の通信端末１では、スライド体１２が本体１１に対してｂ方向にスライドされた際、本体１１側のカメラ部１４が外方に露出された位置で、本体１１に対してスライド体１２が固定される構成にされたが、本体に対するスライド体のスライド位置が、カメラ部を外方に露出させて複数段階で固定可能に構成されてもよい。なお、第２の実施形態において、上述した実施形態と同一部材には同一符号を付して説明を省略する。
【００４０】
第２の実施形態の通信端末２は、図７（ａ），（ｂ），（ｃ）に示すように、通信回路（不図示）を有する本体２１と、この本体２１に対して本体２１の主面を覆う位置と本体２１の主面の一部を外方に露出させる位置とに直線的にスライド可能に設けられたスライド体２２とを備えている。
【００４１】
スライド体２２は、本体２１に対してｂ方向にスライドされたとき、スライド体２２のスライド位置が第１段階から第３段階の複数段階で一時的に固定可能にされている。
【００４２】
以上のように構成された通信端末２では、図７（ａ）に示すように、スライド体２２が本体２１に対してｂ方向に第１段階までスライドされてカメラ部１４が外方に露出される。続いて、通信端末２は、図７（ｂ）に示すように、スライド体２２が第２段階までスライドされ、最終的に図７（ｃ）に示すように、スライド体２２が第３段階までスライドされる。
【００４３】
したがって、通信端末２は、本体２１に対してスライド体２２が複数段階でスライドされるように構成されたことで、本体２１に対するスライド体２２のスライド位置が必要に応じて任意に選択されるので、外方に露出されるカメラ部１４の位置を変更することが可能にされている。
【００４４】
また、この通信端末２も、上述した通信端末１と同様に、待ち受け状態からスライド体２２が本体２１に対してｂ方向に第１段階だけスライドされたときに、制御回路によって第２形態に切り替えられ、テレビ電話を行うことが可能にされる。また同様に、この通信端末２は、スライド体２２が本体２１に対してａ方向にスライドされた第１形態から、本体２１に対してスライド体２２がｂ方向に第１段階だけスライドされたときに、通話状態が継続されながら第１形態から第２形態に自動的に切り替えられる。
【００４５】
上述した本実施形態の通信端末２によれば、スライド体が本体に対して複数段階で一時的に固定可能にされることで、必要に応じてカメラ部１４の位置を複数段階で移動させることが可能になり、カメラ部１４による撮影位置を最適な位置に容易に設定することができる。
【００４６】
（第３の実施形態）
上述した各実施形態では、カメラ部１４を使用する際に、スライド体を本体に対してｂ方向にスライドさせることで、カメラ部１４のレンズを外方に露出させるように構成されたが、スライド体の移動に伴って本体側のカメラ部１４のレンズが外方に露出されないように構成されてもよい。第３の実施形態において、上述した実施形態と同一部材には同一符号を付して説明を省略する。
【００４７】
図８（ａ），（ｂ）に示すように、本実施形態の通信端末３は、通信回路を有する本体３１と、この本体３１に対して矢印ａ，ｂ方向にスライド可能に設けられたスライド体３２とを備えている。
【００４８】
スライド体３２には、カメラ部１４のレンズに対応するコンバージョン・レンズである望遠レンズ３６および広角レンズ３７が、互いに隣接する位置に、各光軸を直線上に位置させて配置されている。
【００４９】
以上のように構成された通信端末３では、図８（ｂ）に示すように、スライド体３２が初期位置で、本体３１側のカメラ部１４のレンズの光軸に、スライド体３２の望遠レンズ３６の光軸が一致されており、カメラ部１４の焦点距離が遠方の映像を撮影することに適されている。
【００５０】
続いて、通信端末３では、図９（ａ），（ｂ）に示すように、スライド体３２を本体３１に対してｂ方向にスライドさせることで、本体３１側のカメラ部１４のレンズの光軸に、スライド体３２の広角レンズ３７の光軸が一致され、カメラ部１４の焦点距離が変更されて近景の映像を撮影することに適される。
【００５１】
また、この通信端末３も、上述した通信端末１，２と同様に、待ち受け状態からスライド体３２が本体３１に対してｂ方向にスライドされたときに、カメラ部１４の焦点距離が変更されると共に、制御回路によって第２形態に切り替えられ、テレビ電話を行うことが可能にされる。また同様に、この通信端末３は、スライド体３２が本体３１に対してａ方向にスライドされている第１形態から、本体３１に対してスライド体３２がｂ方向にスライドされたときに、カメラ部１４の焦点距離が変更されると共に、通話状態が継続されながら第１形態から第２形態に自動的に切り替えられる。
【００５２】
上述した通信端末３によれば、スライド体３２を本体３１に対してスライド操作することで、カメラ部１４のレンズに望遠レンズまたは広角レンズが組み合わされて、カメラ部１４の焦点距離を容易に切り替えることができる。
【００５３】
なお、上述した実施形態の通信端末１，２，３では、本体の主面に対してスライド体が直線的にスライド可能に設けられたが、本体の主面に対して例えばスライド体が回動するようにスライド可能に設けられてもよい。
【００５４】
なお、本発明に係る通信端末は、上述した実施形態で携帯型電話機を一例として適用されたが、例えば固定電話機の子機やＰＤＡ等の他の通信端末に適用されてもよいことは勿論である。
【図面の簡単な説明】
【００５５】
【図１】第１の実施形態の通信端末について、本体がスライド体で覆われている状態を示す図であって、（ａ）が平面図、（ｂ）が側面図である。
【図２】スライド体が本体に対してａ方向にスライドされた状態を示す図であって、（ａ）が平面図、（ｂ）が側面図である。
【図３】スライド体が本体に対してｂ方向にスライドされた状態を示す図であって、（ａ）が平面図、（ｂ）が側面図である。
【図４】スライド位置検出素子を説明するための図であって、（ａ）が平面図、（ｂ）が側面図である。
【図５】前記通信端末の使用状態を示す図であって、（ａ）が待ち受け状態を示す平面図、（ｂ）がテレビ電話状態を示す平面図である。
【図６】前記通信端末の使用状態を示す図であって、（ａ）が音声による通話状態を示す平面図、（ｂ）がテレビ電話状態を示す平面図である。
【図７】第２の実施形態の通信端末を示す図であって、（ａ）〜（ｃ）が、スライド体が本体に対してスライドされた第１段階〜第３段階をそれぞれ示す平面図である。
【図８】第３の実施形態の通信端末を示す図であって、（ａ）が平面図、（ｂ）が側面図である。
【図９】本体側のカメラ部のレンズに対して、スライド体側の広角レンズが対応する位置に移動された状態を示す図であって、（ａ）が平面図、（ｂ）が側面図である。
【図１０】従来のスライド型の通信端末を示す図であって、（ａ）が平面図、（ｂ）が側面図である。
【符号の説明】
【００５６】
１  通信端末
１１  本体
１２  スライド体
１３  操作部
１４  カメラ部
１５  表示部
１７  スライド位置検出素子
【図１】
2006157410.tif 000003
【図２】
2006157410.tif 000004
【図３】
2006157410.tif 000005
【図４】
2006157410.tif 000006
【図５】
2006157410.tif 000007
【図６】
2006157410.tif 000008
【図７】
2006157410.tif 000009
【図８】
2006157410.tif 000010
【図９】
2006157410.tif 000011
【図１０】
2006157410.tif 000012